(57)【要約】【課題】動画撮影を継続した状態で撮影レンズを交換する場合に、撮影者が所望しない動画像が取得されることを防ぐ。【解決手段】撮像装置は、光学系を装着可能な装着部と、装着部への光学系の非装着を検出する検出手段と、装着部に装着された光学系により結像された被写体像を撮像して画像信号を出力する撮像手段と、撮像手段により出力された画像信号に基づく画像を表示する表示手段と、光学系の非装着が検出手段により検出された後に撮像手段により出力された画像信号に基づく画像を、表示手段に表示することを禁止する制御手段とを備える。【選択図】図３
2010050953.tif 000002
【特許請求の範囲】
【請求項１】
光学系を装着可能な装着部と、
前記装着部への前記光学系の非装着を検出する検出手段と、
前記装着部に装着された前記光学系により結像された被写体像を撮像して画像信号を出力する撮像手段と、
前記撮像手段により出力された前記画像信号に基づく画像を表示する表示手段と、
前記光学系の前記非装着が前記検出手段により検出された後に前記撮像手段により出力された前記画像信号に基づく画像を、前記表示手段に表示することを禁止する制御手段とを備えることを特徴とする撮像装置。
【請求項２】
請求項１に記載の撮像装置において、
前記検出手段は、前記装着部への前記光学系の装着をさらに検出し、
前記画像信号に基づく前記画像を前記表示手段に表示することを禁止しているときに、前記検出手段により前記光学系の前記装着が検出された場合は、前記制御手段は、前記光学系の前記装着が検出された後に前記撮像手段から出力された前記画像信号に基づく画像を、前記表示手段に表示することを許可することを特徴とする撮像装置。
【請求項３】
請求項１または２に記載の撮像装置において、
前記光学系の前記非装着が前記検出手段により検出された場合、前記制御手段は、所定の画像を前記表示手段に表示するように制御することを特徴とする撮像装置。
【請求項４】
請求項３に記載の撮像装置において、
前記撮像手段により出力された画像信号を一時的に格納する一時格納手段をさらに備え、
前記制御手段は、前記光学系の前記非装着が前記検出手段により検出される前に前記一時格納手段に格納された画像信号に基づく画像を、前記所定の画像として前記表示手段に表示させることを特徴とする撮像装置。
【請求項５】
請求項１乃至４のいずれか一項に記載の撮像装置において、
前記撮像手段により出力された画像信号を第１の動画データとして記憶媒体に記録する記録制御手段をさらに備え、
前記記録制御手段は、前記光学系の前記非装着が前記検出手段により検出された後に前記撮像手段により出力された画像信号を、前記記憶媒体へ記録することを禁止することを特徴とする撮像装置。
【請求項６】
請求項５に記載の撮像装置において、
前記検出手段は、前記装着部への前記光学系の装着をさらに検出し、
前記撮像手段から出力された前記画像信号を前記記憶媒体へ記録することが禁止されているときに、前記光学系の前記装着が前記検出手段により検出された場合は、前記記録制御手段は、前記光学系の前記装着が検出された後に前記撮像手段により出力された画像信号を第２の動画データとして前記記憶媒体に記録することを特徴とする撮像装置。
【請求項７】
請求項６に記載の撮像装置において、
前記記録制御手段は、前記第１の動画データと前記第２の動画データとを同一画像ファイルに記録することを特徴とする撮像装置。
【請求項８】
請求項６に記載の撮像装置において、
前記記録制御手段は、前記第１の動画データと前記第２の動画データとをそれぞれ異なる画像ファイルに記録することを特徴とする撮像装置。
【請求項９】
光学系を装着可能な装着部と、
前記装着部への前記光学系の装着を検出する検出手段と、
前記装着部に装着された前記光学系により結像された被写体像を撮像して画像信号を出力する撮像手段と、
前記撮像手段により出力された前記画像信号に基づく画像を表示する表示手段と、
前記検出手段により前記光学系の前記装着が検出されたときに、前記撮像手段により出力された前記画像信号に基づく画像を表示手段に表示する制御手段とを備えることを特徴とする撮像装置。
【請求項１０】
撮像装置により取得された動画データを入力する入力手段と、
前記入力手段により入力された前記動画データに対応する動画を表示する表示手段と、
前記入力された前記動画データのうち、前記撮像装置の装着部に光学系が非装着のときに前記撮像装置により取得された動画データを非装着時データとして検出する検出手段と、
前記検出手段により前記非装着時データが検出された場合は、前記非装着時データに対応する動画を前記表示手段に表示することを禁止する制御手段とを備えることを特徴とする再生装置。
【請求項１１】
請求項１０に記載の再生装置において、
前記制御手段は、前記入力手段により入力された前記動画データのうち、前記検出手段により検出された前記非装着データの後に取得された画像データに対応する動画を前記表示手段に表示させることを特徴とする再生装置。
【請求項１２】
請求項１１に記載の再生装置において、
前記制御手段は、前記入力手段により入力された前記動画データのうち、前記検出手段により検出された前記非装着データを除外した動画データに対応する動画を、連続した一連の動画として前記表示手段に表示させることを特徴とする再生装置。
【請求項１３】
コンピュータで実行可能な画像再生プログラムであって、
撮像装置により取得された動画データを入力する入力手順と、
前記入力された前記動画データに対応する動画を表示器に表示する表示手順と、
前記入力された前記動画データのうち、前記撮像装置の装着部に光学系が非装着のときに前記撮像装置により取得された動画データを非装着時データとして検出する検出手順と、
前記非装着時データが検出された場合は、前記非装着時データに対応する動画を前記表示器に表示することを禁止する制御手順とをコンピュータに実行させることを特徴とする画像再生プログラム。
【発明の詳細な説明】
【技術分野】
【０００１】
本発明は、撮像装置、再生装置および画像再生プログラムに関するものである。
【背景技術】
【０００２】
従来から、撮像装置として一眼レフ式の電子カメラが開示されている（たとえば特許文献１）。この電子カメラでは、撮影者によって静止画動画切替スイッチが動画撮影側に切り替えられると、スチルビデオ切替回路の切替処理により、シャッタ駆動装置等の内部機構が動画撮影モードにしたがって制御されるようになり、静止画が連続した動画像が取得される。取得された動画像は、電子カメラ本体の記憶装置に記憶される。
【０００３】
また、撮影画像が表示される表示部を筐体の背面に備えたカメラが開示されている（たとえば特許文献２）。このカメラでは、撮像素子から出力される電気的な撮像信号に基づいて画像データが生成され、生成された画像データに基づいた画像が表示部に表示される。一般的にこのような表示部には、上述した一眼レフ式の電子カメラで取得された動画像も表示される。
【先行技術文献】
【特許文献】
【０００４】
【特許文献１】特開昭５９−２０１０２９号公報
【特許文献２】特開２００５−１２４０４５号公報
【発明の概要】
【発明が解決しようとする課題】
【０００５】
特許文献１に開示される一眼レフ式の電子カメラは、撮影レンズがボディに着脱可能に構成されている。そのため、撮影者は、焦点距離等の異なる複数種類の撮影レンズを適宜交換してボディに装着することができる。
【０００６】
しかしながら、動画像の撮影と、撮影された動画像の表示部への表示とを併行して行っている最中に、動画撮影を継続したまま撮影レンズを交換する場合、被写体像が撮像素子の撮像面に結像されない。その結果、表示部に表示される動画像が乱れたものになるという問題が生じる。
【課題を解決するための手段】
【０００７】
請求項１に記載の発明による撮像装置は、光学系を装着可能な装着部と、装着部への光学系の非装着を検出する検出手段と、装着部に装着された光学系により結像された被写体像を撮像して画像信号を出力する撮像手段と、撮像手段により出力された画像信号に基づく画像を表示する表示手段と、光学系の非装着が検出手段により検出された後に撮像手段により出力された画像信号に基づく画像を、表示手段に表示することを禁止する制御手段とを備えることを特徴とする。
請求項９に記載の発明による撮像装置は、光学系を装着可能な装着部と、装着部への光学系の装着を検出する検出手段と、装着部に装着された光学系により結像された被写体像を撮像して画像信号を出力する撮像手段と、撮像手段により出力された画像信号に基づく画像を表示する表示手段と、検出手段により光学系の装着が検出されたときに、撮像手段により出力された画像信号に基づく画像を表示手段に表示する制御手段とを備えることを特徴とする。
請求項１０に記載の発明による再生装置は、撮像装置により取得された動画データを入力する入力手段と、入力手段により入力された動画データに対応する動画を表示する表示手段と、入力された動画データのうち、撮像装置の装着部に光学系が非装着のときに撮像装置により取得された動画データを非装着時データとして検出する検出手段と、検出手段により非装着時データが検出された場合は、非装着時データに対応する動画を表示手段に表示することを禁止する制御手段とを備えることを特徴とする。
請求項１３に記載の発明は、請求項１０に記載の再生装置で実行するための画像再生プログラムである。
【発明の効果】
【０００８】
本発明による撮像装置によれば、動画撮影を継続したまま光学系を撮像装置の装着部から取り外しても、撮影者の所望しない乱れた動画像が表示部に表示することが防げる。
また、本発明による撮像装置によれば、光学系の装着が検出されたときに、撮像手段から出力された画像信号に基づく画像を表示手段に表示することができる。
また、本発明による再生装置によれば、入力された動画データのうち、撮像装置の装着部に光学系が非装着のときに撮像装置により取得された動画データに対応する動画を表示器に表示することが防げる。
【図面の簡単な説明】
【０００９】
【図１】図は、本実施形態によるデジタルカメラの外観を示しており、図１（ａ）は正面斜視図、図１（ｂ）は背面図である。
【図２】図２は、図１に示すデジタルカメラの構成の概略を示すブロック図である。
【図３】図３は、撮影モードダイアルが操作されて動画撮影モードが選択されたときに制御部によって行われる動画像撮影処理の概略を示す図である。
【図４】図４は、バッファメモリに格納されている画像データを説明する図である。
【図５】図５は、本発明の変形例による動画像撮影処理の概略を示す図である。
【図６】図６は、本発明の実施の形態による再生装置の概略構成を示すブロック図である。
【図７】図７は、プログラム製品を提供するために用いる機器の全体構成を説明する図である。
【発明を実施するための形態】
【００１０】
本発明による撮像装置を実施するための最良の形態について、本発明をデジタルカメラに適用した場合について説明する。
図１（ａ）および図１（ｂ）は、本実施形態によるデジタルカメラ１の外観を示しており、図１（ａ）はその正面斜視図、図１（ｂ）はその背面図である。
【００１１】
図１（ａ）に示すように、デジタルカメラ１の正面中央部には、被写体からの光をカメラ内部に導くレンズ２ａを有するレンズユニット２が装着されている。レンズユニット２は、デジタルカメラ１本体のマウント開口部１ａに螺合することによりデジタルカメラ１本体に着脱可能に構成されている。マウント開口部１ａは、光学系を構成するレンズユニット２を装着可能な装着部を構成している。レンズユニット２をマウント開口部１ａから取り外す際には、マウント開口部１ａの側部に設けられた図示しないレンズ取外ボタンが操作される。マウント開口部１ａには、レンズユニット２とデジタルカメラ１本体とを電気的に接続するための接点が設けられている。
【００１２】
レンズユニット２の装着が完了すると、レンズユニット２の端部に設けられた図示しないピン端子が、マウント開口部１ａに設けられた接点と嵌合することにより、レンズユニット２とデジタルカメラ１本体とが電気的に接続される。デジタルカメラ１の上面には、撮影を行う際に操作されるシャッターボタン３が設けられている。また、デジタルカメラ１の右上方には、遠景撮影や接写撮影、動画像撮影といった撮影モードの選択などの際に操作される撮影モードダイアル４が設けられている。また、デジタルカメラ１本体の正面には、動画像の撮影の際に動画像と共に記録される音声等を集音するマイク５が設けられている。
【００１３】
図１（ｂ）に示すように、デジタルカメラ１の背面上部には、撮影される被写体が視認される光学ファインダー６が設けられており、その下方には、撮影に関する種々の情報や撮影画像などを表示する背面モニタ７が設けられている。背面モニタ７の右側には、環状に形成されたマルチセレクタ８が設けられており、その内側には、マルチセレクタ８の操作によって選択された項目の決定などの際に操作される決定ボタン８ａが設けられている。マルチセレクタ８の下方には、撮影された画像データの削除などの際に操作される削除ボタン９が設けられている。また、マルチセレクタ８の右側には、記録された音声等が出音されるスピーカ１０が設けられている。
【００１４】
背面モニタ７の左側には、再生ボタン１１、メニューボタン１２、縮小／サムネイルボタン１３、および拡大ボタン１４が設けられている。再生ボタン１１は、撮影された画像を背面モニタ７に再生表示させる際に操作される。メニューボタン１２は、デジタルカメラ１の各種設定を行うメニュー画面の表示などの際に操作される。縮小／サムネイルボタン１３は、背面モニタ７に表示させる撮影画像の縮小表示やサムネイル表示などの際に操作される。拡大ボタン１４は、撮影画像の拡大表示などの際に操作される。
【００１５】
図２は、デジタルカメラ１の構成の概略を示すブロック図である。なお、図２において図１（ａ）、図１（ｂ）と同一部分には同一の符号を付して説明する。
レンズ２ａを通った被写体の光量は測光部２０によって検出される。制御部２１は、測光部２０で検出した被写体光量に基づいて絞り駆動部２２を駆動制御する。その結果、絞り駆動部２２により絞り２３の開口量が調節されて、ＣＣＤ（Charge Coupled Devices）等から構成される撮像素子２４に投影される被写体像の光量が調節される。撮像素子２４は、マウント開口部１ａに装着されたレンズユニット２により結像された被写体像を撮像する撮像部を構成している。
【００１６】
制御部２１は、上述したマウント開口部１ａの接点およびレンズユニット２のピン端子を介して、レンズ駆動部２５に駆動信号を出力する。レンズ駆動部２５は、レンズユニット２に内蔵されたＣＰＵ（Central Processing Unit）およびモータ等により構成される。レンズ駆動部２５は、入力した駆動信号に従い、レンズ２ａを光軸方向に移動させ、撮像素子２４に投影される被写体像の焦点を調節する。
【００１７】
制御部２１は、デジタルカメラ１を制御するためのプログラム等が記録された図示しない内蔵メモリおよびＣＰＵを含んで構成されており、内蔵メモリに記録されたプログラムに従い各種の所定の演算を行って、デジタルカメラ１内の各回路の制御を行う。撮像素子２４は、操作部２６を構成する上述したシャッターボタン３の操作に応じて、レンズ２ａおよび絞り２３を通過した被写体光による像を撮像する。なお、操作部２６は、シャッターボタン３の他、上述した撮影モードダイアル４、マルチセレクタ８および各種ボタン９〜１４などを含んで構成されている。閃光部３５は、操作部２６の操作に応じてまたは自動的に、周囲が暗い時に被写体を照明する照明光を発光する。
【００１８】
撮像素子２４に蓄えられた電荷は、タイミングジェネレーター（ＴＧ）２７によって生成されるタイミングパルスに従い、撮像信号(画像信号)として信号処理部２８へ出力される。信号処理部２８は、入力された撮像信号に対して所定のアナログ信号処理を施した後、デジタル信号に変換して、制御部２１へ出力する。制御部２１は、ホワイトバランス処理やガンマ補正といった所定の画像処理を、入力した画像信号に施して、画像データを生成する。そして、制御部２１は、画像処理が施された画像データを一時記憶メモリからなるバッファメモリ２９に格納すると共に、記憶媒体インターフェイス３０を介して、不揮発性メモリからなる記憶媒体３１に記録する。
【００１９】
バッファメモリ２９は、撮像素子２４により撮像された画像信号に基づいて生成された画像データを一時的に格納する一時格納部を構成しており、このバッファメモリ２９には、撮像素子２４により撮像された複数フレーム分の画像データが格納される。また、記憶媒体３１は、撮像素子２４により撮像された画像信号に基づく画像データを記録する記録部を構成している。また、制御部２１は、動画像の撮影時にマイク５で集音された音データを記憶媒体インターフェイス３０を介して記憶媒体３１に記録する。撮影画像の再生時には、記憶媒体３１に記録された画像データや音データは、制御部２１によって記憶媒体インターフェイス３０を介して読み出されて、バッファメモリ２９に格納される。
【００２０】
バッファメモリ２９に格納された画像データは、制御部２１の制御に応じて、背面モニタインターフェイス３２により背面モニタ７に使われている液晶装置の解像度に適した表示用画像データに変換され、背面モニタ７に静止画や動画として表示される。背面モニタ７は、撮像素子２４により撮像された画像信号に基づく静止画像および動画像を表示する表示器を構成している。また、バッファメモリ２９に格納された音データは、制御部２１の制御の下、スピーカ１０から音声や環境音等として放音される。
【００２１】
デジタルカメラ１には、上述したレンズ取外ボタンの操作によってマウント開口部１ａからレンズユニット２が取り外されたことを検出するレンズ離脱検出部３６が設けられている。レンズ離脱検出部３６は、上述したレンズユニット２に設けられたピン端子と嵌合する接点により構成され、マウント開口部１ａにレンズユニット２が装着されているかどうかを検出する検出部を構成している。制御部２１およびレンズ駆動部２５は、マウント開口部１ａに装着されたレンズユニット２とデジタルカメラ１本体との間で、上記のピン端子および接点を介して通信を行う通信手段を構成している。上記のピン端子と接点とが接続されている状態、すなわち通信手段による通信が行われている間は、レンズ離脱検出部３６は、レンズユニット２がマウント開口部１ａに装着されていることを示す装着検出信号を制御部２１に出力する。レンズユニット２がマウント開口部１ａから取り外されることで上記のピン端子と接点との接続が断たれると、通信手段による通信が途絶える。通信手段による通信が途絶えた時点において、レンズ離脱検出部３６は、レンズユニット２がマウント開口部１ａから取り外された（非装着）と検出し、レンズユニット２が非装着であることを示す非装着検出信号を制御部２１に出力する。
【００２２】
制御部２１および背面モニタインターフェイス３２は、撮像素子２４により取得される画像信号に基づく動画像を背面モニタ７に表示させる制御を行う。制御部２１および記憶媒体インターフェイス３０は、撮像素子２４により取得される画像信号に基づく画像データ（動画像データ）を記憶媒体３１に記録させる制御を行う。本実施形態では、制御部２１は、動画撮影モード時には、マウント開口部１ａにレンズユニット２が非装着であるとレンズ離脱検出部３６が検出した後に撮像素子２４により撮像された画像信号に基づく画像が、背面モニタ７に表示されることを禁止する。そして、制御部２１は所定の画像が背面モニタ７に表示されるように制御を行う。また、制御部２１は、動画撮影モード時には、マウント開口部１ａにレンズユニット２が非装着であることをレンズ離脱検出部３６が検出した後に撮像素子２４により撮像された画像信号に基づく画像データが、記憶媒体３１へ記録されることを禁止する制御を行う。なお、レンズユニット２がマウント開口１ａに非装着の場合は、撮像素子２４に被写体像が結像しないため、撮像素子２４から出力される信号は被写体に関する情報を含まない信号となるが、本明細書では、上記信号についても画像信号と呼称して説明する。
【００２３】
撮像素子２４により取得された画像信号に基づく動画像の背面モニタ７への表示、および動画像データの記憶媒体３１への記録が禁止されているとき、レンズユニット２がマウント開口部１ａに装着されると、制御部２１は、動画像の背面モニタ７への表示および動画像データの記憶媒体３１への記録を許可する。すなわち、制御部２１は、レンズ離脱検出部３６から装着検出信号を入力した後に撮像素子２４により取得された画像信号に基づく動画像を背面モニタ７に表示させる。さらに、制御部２１は、記憶媒体インターフェイス３０を介して、撮像素子２４により取得される画像信号に基づく動画像データを記憶媒体３１に記録させる。
【００２４】
図３は、撮影モードダイアル４が操作されて動画撮影モードが選択されたときに制御部２１によって行われる動画像撮影処理の概略を示す図である。
この動画像撮影処理が行われる前には、予め撮影者によって、動画撮影中にレンズユニット２が取り外された時の画像の表示および画像データの記録に関する設定をすることができる。この設定は、メニューボタン１２が操作されて背面モニタ７に表示される複数の設定メニュー項目の中から、撮影者が希望のものを選択することによって行われる。設定メニュー項目には、背面モニタ７における画像の表示に関する表示設定メニュー、およびバッファメモリ２９に一時的に格納されている画像データの記憶媒体３１への記録に関する記録設定メニューが含まれている。
【００２５】
表示設定メニューは、たとえば以下の４つの項目を含む。
（１−１）バッファメモリ２９に一時的に格納されている複数フレームの画像データのうち、レンズユニット２が取り外される前に最後に取得されたフレームの画像データ（最終取得データ）に対応する画像を、所定の画像として背面モニタ７に表示し続けるメニュー項目
（１−２）プログラムなどが記録されている内蔵メモリに予め記録されている画像データに対応する画像（たとえば画面全体を黒く表示する黒画像）を、所定の画像として背面モニタ７に表示し続けるメニュー項目
（１−３）記憶媒体３１に既に記録されている画像データの中からユーザが予め選択した画像データに対応する画像を、所定の画像として背面モニタ７に表示し続けるメニュー項目
（１−４）「レンズ交換中」等のレンズユニット２が非装着である旨を報知する画像を、所定の画像として背面モニタ７に表示し続けるメニュー項目
【００２６】
記録設定メニューは、たとえば以下の２つの項目を含む。
（２−１）レンズユニット２の非装着時に取得された画像データの代わりに表示設定メニューで設定された所定の画像データを記憶媒体３１に記録するメニュー項目
（２−２）レンズユニット２の非装着時に取得された画像データを記憶媒体３１に一切記録しないメニュー項目
【００２７】
ユーザは、上記の各設定メニューから所望のメニュー項目を選択することで、画像データの表示および記録に関する設定を、それぞれ個別に決定することができる。
動画像撮影処理は、撮影者によって撮影モードダイアル４が操作されて動画撮影モードが選択されると、制御部２１により開始される。なお、図３に示す動画撮影処理を行うプログラムは、制御部２１内の図示しないメモリ等に予め記録され、制御部２１により実行されるものとする。
【００２８】
制御部２１は、レンズ離脱検出部３６からの検出信号の有無に基づいて、レンズユニット２がデジタルカメラ１本体のマウント開口部１ａに装着されているか否かを判別する（図３，Ｓ１参照）。レンズユニット２がマウント開口部１ａに装着されていない場合、すなわち上記判別が“ＮＯ”である場合、制御部２１は、記憶媒体３１への動画記録を禁止する処理を行う（Ｓ２）。すなわち、制御部２１は、背面モニタ７に動画撮影禁止である旨の表示を行って、動画像撮影処理を終了する。また、レンズユニット２がマウント開口部１ａに装着されていてＳ１の判別が“ＹＥＳ”である場合、制御部２１は、動画記録開始操作が行われたか否か、すなわち、動画記録を開始させるためにシャッターボタン３が操作されたか否かを判別する（Ｓ３）。この判別が“ＮＯ”である場合、制御部２１は、撮像素子２４に投影される被写体像を取り込む処理以外の通常処理を行い（Ｓ４）、Ｓ３の判別処理を繰り返す。
【００２９】
撮影者によりシャッターボタン３が操作されてＳ３の判別が“ＹＥＳ”になると、制御部２１は、動画記録を開始する。制御部２１は、取り込んだ画像データに対応する画像を撮影者に確認させるための解像度の低い画像（スルー画）を背面モニタ７に表示させる処理を行う。さらに、制御部２１は、動画撮影によって取得される画像データを動画像データとして記憶媒体３１に記録する処理を行う（Ｓ５）。制御部２１は、動画記録が終了であるか否か、すなわち、動画記録を終了させるために撮影者によって再度シャッターボタン３の操作が行われたか否かを判別する（Ｓ６）。この判別が“ＹＥＳ”である場合、制御部２１は、動画像撮影処理を終了する。
【００３０】
シャッターボタン３が操作されず、Ｓ６の判別が“ＮＯ”である場合、制御部２１は、レンズユニット２が装着されているか否かを、レンズ離脱検出部３６からの検出信号に基づいて判別する（Ｓ７）。この判別により、動画記録が行われているときに、レンズユニット２が交換などのためにマウント開口部１ａから取り外されたか否かを、判別することができる。レンズユニット２が取り外されずＳ７の判別が“ＹＥＳ”である場合、処理はＳ５に戻り、制御部２１は動画記録を継続する。一方、動画記録が行われているときにレンズユニット２がマウント開口部１ａから取り外された場合、すなわちＳ７の判別が“ＮＯ”である場合、制御部２１は、上述した表示設定メニューおよび記録設定メニューで予め設定された内容に応じて、画像の表示および画像データの記録を行う（Ｓ８）。すなわち、表示設定メニューで選択されたメニュー項目に応じて、最終取得データに対応する画像や黒画像などが、所定の画像として背面モニタ７に表示される。また、上述した記録設定メニューで上記（２−１）のメニュー項目（所定の画像データを記録する）が選択されている場合には、表示設定メニューで選択された内容に応じた所定の画像データが記憶媒体３１に記録されるようになる。上記のＳ８の処理が行われている間も、マイク５で集音される音の録音は、中断することなく制御部２１によって継続して行われる。
【００３１】
図４（ａ）、図４（ｂ）は、撮像素子２４から出力された画像信号に基づいて、バッファメモリ２９に格納された画像データを説明する図である。図４（ａ）は、動画記録が開始されてから、動画像を構成する各フレーム画像１，２，３，４，５，…，１７，１８，１９，…にそれぞれ対応する画像データ１，２，３，４，５，…，１７，１８，１９，…が、撮像素子２４によって時間の経過と共に連続的にバッファメモリ２９に格納される様子を示している。図４（ｂ）は、レンズ離脱検出部３６から出力される検出信号の状態を時間の経過に従って示しており、レンズユニット２が装着されている状態ではＨｉ(装着検出信号)、レンズユニット２が装着されていない状態ではＬｏｗの信号（非装着検出信号）が、レンズ離脱検出部３６から出力される。なお、図４（ａ），図４（ｂ）は時間軸を揃えて表示してある。
【００３２】
図４（ａ）、図４（ｂ）に示す例では、動画記録は、レンズユニット２が装着された時刻ｔ１よりも遅れた時点から開始されており、動画記録中の時刻ｔ２からｔ３の間で、レンズユニット２が取り外されている。このとき、時刻ｔ２からｔ３の間にバッファメモリ２９に格納される画像データ４〜１７に対応する画像の背面モニタ７への表示および画像データ４〜１７の記憶媒体３１への記録は行われない。図４（ａ）に示す場合では、バッファメモリ２９には、フレーム画像３に対応する画像データ３がレンズユニット２の取り外し前に最後に取得された画像データ（最終取得データ）として格納されている。この場合、上述した表示設定メニューにおいて上記（１−１）のメニュー項目（背面モニタ７に表示する所定の画像がバッファメモリ２９に格納された最終取得データに対応するフレーム画像）が設定され、記録設定メニューにおいて上記（２−１）のメニュー項目（所定の画像データを記憶媒体３１に記録）が設定されているとすると、画像データ３に対応する画像が、所定の画像として背面モニタ７に表示され続ける。さらに、画像データ３が記憶媒体３１に記録され続ける。
【００３３】
レンズユニット２がマウント開口部１ａに装着された時刻ｔ３以降では、制御部２１は、撮像素子２４から出力された画像信号に基づく画像を背面モニタ７へ表示し、画像データを記憶媒体３１に記録することを許可する。すなわち、制御部２１は、図４（ａ）に示す画像データ１８、１９に対応する画像を背面モニタ７に表示させるとともに、画像データ１８、１９を記憶媒体３１に記録する。このとき、制御部２１は、時刻ｔ２〜ｔ３の間はレンズユニット２がマウント開口部１ａに装着されていないことを示す情報（レンズ装着情報）を、動画像ファイルに含まれる、たとえば付加情報部等に記録する。なお、動画像ファイルの付加情報部には、各画像データ１〜３、１８、１９が取得された時刻を示す情報（撮影時刻情報）が記録されるものとする。
【００３４】
記録設定メニューにおいて上記（２−２）のメニュー項目（画像データを記憶媒体３１に一切記録しない）が設定されている場合、画像データ４〜１７が記憶媒体３１に記録されることが禁止される。そして、時刻ｔ３においてレンズ離脱検出部３６によりレンズユニット２がマウント開口部１ａに装着されたことが検出されると、制御部２１は、撮像素子２４により取得された画像信号に対応する画像データを記憶媒体３１へ記録することを許可する。すなわち、制御回路２１は、時刻ｔ３以降に取得された画像データ１８、１９を記憶媒体３１へ記録させる。このとき、制御部２１は、時刻ｔ１〜ｔ２の期間で取得した画像データ１〜３と、時刻ｔ３以降に取得した画像データ１８，１９とを同一の動画像ファイルに記録させる。この場合も、制御部２１は、時刻ｔ２〜ｔ３の間はレンズユニット２がマウント開口部１ａに装着されていないことを示す情報（レンズ装着情報）や、画像データが取得された時刻を示す撮影時刻情報を、動画像ファイルに含まれる、たとえば付加情報部等に記録する。
【００３５】
なお、制御部２１は、上記の画像データ１〜３と画像データ１８，１９とをそれぞれ異なる動画像ファイルに記録するようにしてもよい。この場合、制御部２１は、画像データ１〜３が記録された動画像ファイルと、画像データ１８，１９が記録された動画像ファイルとを関連付けるデータを記憶媒体３１に記録すればよい。
【００３６】
上記のようにして、表示設定メニューおよび記録設定メニューにおいて予め設定された内容に応じて画像の表示および画像データの記録を行った後、制御部２１は、動画記録を終了させるために撮影者によって再度シャッターボタン３の操作が行われたか否かを判別する（図３，Ｓ９参照）。この判別が“ＹＥＳ”である場合、制御部２１は、動画像撮影処理を終了する。また、シャッターボタン３が操作されていなくて、Ｓ９の判別が“ＮＯ”である場合、制御部２１は、レンズユニット２が装着されているか否か、すなわち、取り外されたレンズユニット２がマウント開口部１ａに装着されたか否かを、レンズ離脱検出部３６からの検出信号に基づいて判別する（Ｓ１０）。この判別が“ＮＯ”である場合、処理はＳ８に戻り、上述したＳ８〜Ｓ１０の処理が繰り返される。また、取り外されたレンズユニット２がマウント開口部１ａに装着されて、Ｓ１０の判別が“ＹＥＳ”である場合、処理はＳ５に戻り、上述した動画像撮影処理が繰り返される。
【００３７】
上述のようにしてデジタルカメラ１で生成され記憶媒体３１に記録された動画像ファイルに対応する動画像は、当該記憶媒体３１を再生装置等の外部機器（たとえばパーソナルコンピュータ）等に接続することにより、再生装置で再生することができる。なお、デジタルカメラ１が、外部機器との各種通信を行うためのインターフェイス（たとえばＵＳＢインターフェイスケーブル、無線伝送路）を備える場合、記憶媒体３１に記録された動画像ファイルを上記インターフェイスを介して送信してもよい。
【００３８】
図６は、再生装置２００（たとえばパーソナルコンピュータ）の一例を示す概略制御ブロック図である。再生装置２００は、制御部２０１、ＨＤＤ２０２、メモリカードインターフェイス２０３、マウスやキーボード等により構成される操作部２０４、モニタ２０５、外部インターフェイス２０６、メモリ２０７、およびモニタ用インターフェイス２０８を有する。制御部２０１は、各ブロックから出力される信号を入力して所定の演算を行い、演算結果に基づく制御信号を各ブロックへ出力する。ＨＤＤ２０２は、デジタルカメラ１により取得された動画像ファイルを含む各種の画像ファイルを格納する。外部インターフェイス２０６は、所定のケーブルや無線伝送路を介してデジタルカメラ１等との間でデータ通信を行う。再生装置２００は、上記のメモリカードインターフェイス２０３または外部インターフェイス２０６を介して、記憶媒体３１や外部機器から画像ファイルなどを入力する。入力された画像ファイルは、制御部２０１によりＨＤＤ２０２に記録される。
【００３９】
再生装置２００によりデジタルカメラ１で取得された動画像ファイルに対応する動画を再生表示する場合、使用者により画像再生ソフトを起動して実行する。この画像再生ソフトは、再生装置２００の制御部２０１内の不図示のメモリに記録されている。使用者が操作部２０４を操作して画像再生ソフトの起動が指示されると、制御部２０１は画像再生ソフトを起動する。画像再生ソフトが起動されると、制御部２０１は、ＨＤＤ２０２に記録された動画像ファイル、または記憶媒体３１が装着された場合は、メモリカードインターフェイス２０３を介して記憶媒体３１に記録された動画像ファイル内の動画像データをメモリ２０７読み出す。
【００４０】
制御部２０１は、読み出した動画像データをモニタ用インターフェイス２０８に出力して、モニタ２０５に動画を再生表示させる。このとき、制御部２０１は、動画像データのうち、デジタルカメラ１にレンズユニット２が非装着の期間に記憶媒体３１に記録された画像データ（非装着時データ）に対応する動画像をモニタ２０５に表示することを禁止する。すなわち、制御部２０１は、デジタルカメラ１の記録設定メニューとして上記（２−１）のメニュー項目（所定の画像データを記憶媒体３１に記録）が設定されているときに記憶媒体３１に記録された所定の画像データ（最終取得データ、黒画像データ）に対応する画像の表示を禁止する。
【００４１】
または、制御部２０１は、デジタルカメラ１からレンズユニット２が取り外される前に最後に取得された最終取得データ（図４（ａ）の画像データ３）をモニタ用インターフェイス２０８へ出力して、モニタ２０５上での画像３の表示を継続させる。もしくは、制御部２０１は、黒画像データをモニタ用インターフェイス２０８へ出力してモニタ２０５の表示を動画表示から黒画面に切替えたり、モニタ２０５をブラックアウトさせたりする。その結果、デジタルカメラ１からレンズユニット２が取り外されている非装着時に撮像素子２４により取得された画像信号に基づく動画の表示が禁止される。
【００４２】
また、図４（ａ）、図４（ｂ）を用いて説明した場合のように、画像データ１〜３と画像データ１８、１９とが動画像ファイルに含まれる場合、制御部２０１は、画像データ１〜３に対応する画像を表示させた後、画像データ１８，１９に対応する画像を表示させる。すなわち、制御部２０１は、動画像ファイルの付加情報部に記録された撮影時刻情報とレンズ装着情報とに基づいて、時刻ｔ３以降に取得された画像データ１８，１９の有無を検出する。レンズユニット２がデジタルカメラ１に再び装着された後に取得された画像データが存在する場合、制御部２０１は、当該画像データをモニタ用インターフェイス２０８に出力して、モニタ２０５にレンズユニット２が再び装着された後に撮影された動画像を表示させる。このとき、制御部２０１は、画像データ３に続けて画像データ１８をモニタ用インターフェイス２０８に出力する。その結果、レンズユニット２がデジタルカメラ１から取り外される前に撮影された動画像と、レンズユニット２がデジタルカメラ１に再び装着された後に撮影された動画像とが連続した一連の動画となるようにモニタ２０５に表示される。
【００４３】
以上で説明した実施の形態によれば、以下の作用効果が得られる。
（１）動画像の撮影が行われているときにデジタルカメラ１本体のマウント開口部１ａからレンズユニット２が取り外され、レンズユニット２とデジタルカメラ１本体との間で通信が途絶えると、レンズ離脱検出部３６により、通信が途絶えた時点においてレンズユニット２がデジタルカメラ１本体から取り外されたと検出される。レンズユニット２が取り外されたことがレンズ離脱検出部３６によって検出されると、レンズユニット２の取り外し後に撮像素子２４により撮像された画像信号に基づく画像が、背面モニタ７に表示されることが禁止される（図３，Ｓ８参照）。このため、動画撮影を継続したままレンズユニット２をデジタルカメラ１本体から取り外しても、乱れが生じた動画像が背面モニタ７に表示されないので、撮影者が不快感を抱かずにすむ。
【００４４】
（２）マウント開口部１ａにレンズユニット２が非装着であるとレンズ離脱検出部３６によって検出されると、制御部２１によって、表示設定メニューおよび記録設定メニューで設定された内容に応じて、所定の画像が背面モニタ７に表示されると共に、記憶媒体３１への画像データの記録の制御が行われる（図３，Ｓ８参照）。このため、動画撮影を継続したままレンズユニット２をデジタルカメラ１本体から取り外しても、撮影者が不快感を抱くような乱れた動画像の代わりに、撮影者が望む所定の画像が背面モニタ７に表示されるようになる。
【００４５】
（３）マウント開口部１ａにレンズユニット２が非装着であるとレンズ離脱検出部３６によって検出される前にバッファメモリ２９に格納された最終取得データに基づく画像が、表示設定メニューの設定内容に応じて、所定の画像として背面モニタ７に表示される。このため、レンズユニット２が取り外される前に最後に取得された画像データに対応する画像が、レンズユニット２が取り外された後も継続して背面モニタ７に表示され続ける。この結果、レンズユニット２が取り外された場合であっても、背面モニタ７に表示される画像はそれまで表示されていた動画像と違和感のないものとなる。
【００４６】
（４）レンズユニット２が取り外されたことがレンズ離脱検出部３６によって検出されると、レンズユニット２の取り外し後に撮像素子２４により撮像されてバッファメモリ２９に格納される画像データが記憶媒体３１に記録されることが禁止される（図３，Ｓ８参照）。このため、動画撮影を継続したままレンズユニット２をデジタルカメラ１本体から取り外した場合、撮影者の不快感を抱くような乱れた動画像が、背面モニタ７に表示されるのが防止されると共に、記憶媒体３１に記録されてしまうことも防止される。
【００４７】
（５）従来、動画撮影中、動画撮影を中断して撮影レンズを交換する場合には、交換作業の終了後に動画撮影を再開させる必要がある。そのため、動画撮影の再開時にカメラの起動時間を要し、動画撮影の中断時間が長くなってしまう。しかし、本実施形態によるデジタルカメラ１によれば、動画撮影を中断することなくレンズユニット２の交換を行えるため、レンズユニット２の交換に伴う動画撮影の中断時間が長くなることを防ぎ、中断時間を最大限短くすることができる。また、動画撮影時に生じる音をマイク５によって録音する機能を備えているため、レンズユニット２の交換中においても録音を継続することが可能になる。
【００４８】
(６)再生装置２００は、デジタルカメラ１により取得された動画データを入力し、モニタ２０５は、入力された動画データに対応する動画を表示するようにした。制御部２０１は、入力した動画データのうち、デジタルカメラ１にレンズユニット２が非装着のときに取得された動画データを非装着時データとして検出し、非装着時データに対応する動画像をモニタ２０５に表示することを禁止するようにした。したがって、ノイズ等により乱れの生じた動画像がモニタ２０５に表示されることが防げる。
【００４９】
以上で説明した実施の形態を、以下のように変形できる。
（１）表示設定メニューおよび記録設定メニューにおいて、所定の画像として黒画像の表示または記録が行われる設定がされたとき、内蔵メモリに画像データとして予め記録されている黒画像データを読み出して、背面モニタ７に表示させたり、記憶媒体３１に記録させる場合に限られない。例えば、表示設定メニューまたは記録設定メニューにおいて、所定の画像として黒画像の表示または記録が行われる設定がなされると、図５に示す動画像撮影処理のフローチャートに示すように、メカシャッターを閉じて撮像素子２４から黒画像データを取り込む構成とすることも可能である。
【００５０】
図５に示す動画像撮影処理は、上述した表示設定メニューおよび記録設定メニューにおいて、所定の画像として黒画像の表示および記録が行われる設定が予めなされており、Ｓ２１の処理内容が相違する点以外は、上記実施形態の図３に示す動画像撮影処理と同一となっている。なお、同図において、図３に示す処理と同一の処理については同一のステップ番号を付して、その説明は省略する。
【００５１】
同図に示す動画像撮影処理では、レンズユニット２が装着されているか否かのＳ７の判別が“ＮＯ”である場合、制御部２１は、Ｓ２１で、メカシャッターを閉じて、撮像素子２４から取り込まれる画像をそのまま、背面モニタ７に継続して表示すると共に、記憶媒体３１に継続して記録する。このとき、レンズ２ａを通った被写体光はメカシャッターによって遮断されて撮像素子２４には到達しない。そのため、上述した実施形態における黒画像と同様の黒画像が、背面モニタ７に表示されると共に、撮像素子２４から取り込まれた黒画像データが記憶媒体３１に記録される。
【００５２】
このような構成によれば、上記実施形態と同様の作用効果が奏されると共に、メカシャッターの閉鎖によって、レンズユニット２が取り外されている際に撮像素子２４にゴミなどが付着してしまうことが防止されるという作用効果も奏されるようになる。
【００５３】
（２）動画像の撮影時にマイク５で集音された音も記録される場合を説明したが、動画像の撮影時には音が記録されない構成とすることも可能である。
【００５４】
（３）レンズユニット２が取り外されている間に背面モニタ７に表示される画像や、記憶媒体３１に記録される所定の画像データが静止画像に対応する場合に限られない。例えば、予め撮影されて記憶媒体３１に記録されている動画像に対応する画像データの中から撮影者によって選択された任意の画像データに対応する動画像を、所定の画像として背面モニタ７に表示させたり、選択された画像データを記憶媒体３１に記録させるようにすることも可能である。
【００５５】
（４）レンズユニット２がマウント開口部１ａから取り外された状態が継続しても、図３に示す動画像撮影処理が継続して行われる場合（図３，Ｓ７〜Ｓ１０参照）に限られない。例えば、Ｓ７の判別が“ＮＯ”で、レンズユニット２がマウント開口部１ａから取り外されている時間が所定時間を超えたときに、動画像撮影処理が自動的に終了する構成とすることも可能である。
【００５６】
（５）レンズユニット２が取り外されているときに、背面モニタ７に所定の画像が表示される場合に限られない。例えば、レンズユニット２が取り外されているときには、背面モニタ７の電源を切断するようにしても構わない。この構成によれば、バッファメモリ２９において一時的に格納される乱れた画像の画像データは、背面モニタ７には出力されるが、乱れた画像は背面モニタ７には表示されなくなる。
【００５７】
（６）レンズユニット２が取り外されたとき、バッファメモリ２９に格納されている最終取得データに対応する画像の表示が、表示設定メニューの内容に応じて行われる場合に限られない。例えば、レンズユニット２が取り外されたとき、レンズユニット２が取り外される前の装着時において記憶媒体３１に最後に記録されている画像データに対応する画像が背面モニタ７へ表示される構成としてもよい。
【００５８】
（７）撮影モードダイアル４が操作されて動画撮影モードが選択されたときの制御部２１を中心に説明したが、動画撮影モード以外であっても同様の制御を行うことができる。たとえば、制御部２１は、ライブビューモードが選択された場合においても背面モニタ７に表示する画像を制御できる。ライブビューモードとは、レリーズ前に不図示のクイックリターンミラーを上方に跳ね上げて撮像素子２４で取得した画像信号に対応する画像をリアルタイムに背面モニタ７に表示するが、画像データの記憶媒体３１への記録を伴わない動作態様である。この場合、制御部２１は、レンズ離脱検出部３６によりレンズユニット２のマウント開口１ａへの装着が検出されると、背面モニタインターフェイス３２を介して、撮像素子２４により取得される画像信号に基づく画像を背面モニタ７に表示させる制御を開始する。レンズ離脱検出部３６によりレンズユニット２のマウント開口１ａへの非装着が検出されている期間は、制御部２１は、撮像素子２４から出力される画像信号に基づく画像を、背面モニタ７へ表示することを禁止する。レンズユニット２の装着が検出されない期間は、制御部２１は、上述した最終取得データや黒画像データに対応する画像を背面モニタ７に表示させる。なお、ライブビューモードにおいては、制御部２１および記憶媒体インターフェイス３０は、撮像素子２４により取得される画像信号に基づく画像データの記憶媒体３１への記録を行わない。
【００５９】
（８）再生装置２００は、パーソナルコンピュータに限定されず、画像ファイルを入力可能な装置であれば何でもよい。また、カメラ以外の装置から画像ファイルを入力する場合も本発明を適用できる。
【００６０】
上述した制御に関するプログラムは、ＣＤ−ＲＯＭなどの記録媒体やインターネットなどのデータ信号を通じて提供することができる。図７はその様子を示す図である。再生装置２００は、ＣＤ−ＲＯＭ３００を介してプログラムの提供を受ける。また、再生装置２００は通信回線３１０との接続機能を有する。コンピュータ４００は上記プログラムを提供するサーバーコンピュータであり、ハードディスクなどの記録媒体にプログラムを格納する。通信回線３１０は、インターネット、パソコン通信などの通信回線、あるいは専用通信回線などである。コンピュータ４００はハードディスクを使用してプログラムを読み出し、通信回線３１０を介してプログラムを再生装置２００に送信する。すなわち、プログラムをデータ信号として搬送波により搬送して、通信回線３１０を介して送信する。このように、プログラムは、記録媒体や搬送波などの種々の形態のコンピュータ読み込み可能なコンピュータプログラム製品として供給できる。
【００６１】
また、本発明の特徴を損なわない限り、本発明は上記実施の形態に限定されるものではなく、本発明の技術的思想の範囲内で考えられるその他の形態についても、本発明の範囲内に含まれる。説明に用いた実施の形態および変形例は、それぞれを適宜組合わせて構成しても構わない。
【符号の説明】
【００６２】
１・・・デジタルカメラ、  １ａ・・・マウント開口、  ２・・・レンズユニット、
２ａ・・・レンズ、  ３・・・シャッターボタン、  ７・・・背面モニタ、  
２１・・・制御部、  ２４・・・撮像素子、  ２５・・・レンズ駆動部、
２８・・・信号処理部、  ２９・・・バッファメモリ、  ３１・・・記憶媒体、
３６・・・レンズ離脱検出部、  ２００・・・再生装置、  ２０１・・・制御部、
２０３・・・メモリカードインターフェイス、  ２０５・・・モニタ、
２０６・・・外部インターフェイス
【図１】
2010050953.tif 000003
【図２】
2010050953.tif 000004
【図３】
2010050953.tif 000005
【図４】
2010050953.tif 000006
【図５】
2010050953.tif 000007
【図６】
2010050953.tif 000008
【図７】
2010050953.tif 000009